(57)【要約】【課題】本発明は、製造コストを抑制しながらも、スタンドが左右逆に取り付けられることを防止することができる表示装置及びテレビジョン受信機を提供することを目的とする。【解決手段】本発明の表示装置は、シャーシ（保持体）を支持する二つのスタンドを備える。スタンド支柱を有し、支柱は後側及び両横側を囲む固定部でシャーシに固定される。支柱の横の一方に位置する第２板状部材には、支柱へ向けて突出した第１突出部が形成され、他方に位置する第３板状部材には、第１突出部に比べて後寄りの位置で突出した第２突出部が形成されている。二つの固定部の間で、第２板状部材及び第３板状部材の位置が互いに逆になっている。第１突出部及び第２突出部の位置の違いにより、二つのスタンドは逆の位置に取り付けができない。一方の固定部は向きを逆にすると他方の固定部になり、二つの固定部は共通の部品である。【選択図】図５
2018022188.tif 000002
【特許請求の範囲】
【請求項１】
前側で映像を表示する表示部と、該表示部を保持する保持体と、該保持体の後部に沿って取り付けられる支柱部を有し、前記保持体を支持するスタンドと、前記支柱部の後側及び両横側を囲んで前記支柱部を前記保持体に取り付けるための取付具とを備える表示装置において、
前記取付具は、
取り付けられた前記支柱部の後側に位置する板状の後側部材と、
前記支柱部の両横側の一方に位置し、一部が内側へ突出した第１突出部が前記支柱部の長手方向に沿って形成された板状の第１横側部材と、
前記支柱部の両横側の他方に位置し、前記第１突出部よりも前後方向に短い長さで一部が内側へ突出した第２突出部が前記支柱部の長手方向に沿って形成された板状の第２横側部材とを有し、
前記支柱部は、
前記第１突出部を前後方向に挟むように、前記第１突出部の前後方向の長さを超過する距離で先端から長手方向に沿って開口した開口部と、
該開口部の反対側の位置に、前後方向の長さを前記第１突出部より短く前記第２突出部より長くして長手方向に沿って凹んでおり、前記第２突出部に係合する凹部とを有すること
を特徴とする表示装置。
【請求項２】
夫々に前記支柱部を有する前記スタンドを二つ備えるか、又は前記スタンドが二つの前記支柱部を有し、
二つの前記取付具が前記保持体の後部に並列に設けられており、
二つの前記取付具は、夫々に取り付けられた前記支柱部に対する前記第１横側部材及び前記第２横側部材の横方向の位置が互いに逆になっていること
を特徴とする請求項１に記載の表示装置。
【請求項３】
前記取付具は、取り付けられた前記支柱部の長手方向に対称な形状であり、
前記支柱部は、取り付けられた状態の前後方向に対称な形状であること
を特徴とする請求項２に記載の表示装置。
【請求項４】
前記第１横側部材及び前記第２横側部材は、端を含まない部分に前記第１突出部及び前記第２突出部が形成されており、
前記支柱部は、先端の一部が他の部分よりも延長し、中心側へ傾いた複数の延長部を有すること
を特徴とする請求項１から３までのいずれか一つに記載の表示装置。
【請求項５】
請求項１から４までの何れか一つに記載の表示装置と、
テレビジョン放送を受信する受信部とを備え、
前記受信部で受信したテレビジョン放送に基づいて前記表示装置で映像を表示するようにしてあること
を特徴とするテレビジョン受信機。
【発明の詳細な説明】
【技術分野】
【０００１】
本発明は、二つのスタンドを備える表示装置及びテレビジョン受信機に関する。
【背景技術】
【０００２】
液晶ディスプレイ又はＥＬ（electroluminescence）ディスプレイ等の薄型の表示装置には、スタンドを備えたものがある。スタンドを下側の中央に配置した表示装置では、大型化に伴って転倒の虞が増し、転倒を防止するためにはスタンドが大型化する。そこで、表示装置の大型化に応じて、二つのスタンドを左右に離隔して配置する必要が出てきた。特許文献１には、二つのスタンドを備えた表示装置が開示されている。
【０００３】
また、スタンドは、表示装置の重心に応じてバランスを保ちながら筐体を支持することができるように設計されている。このため、スタンドを正規の向きとは異なる向きで筐体に取り付けた場合は、スタンドが筐体をうまく支持することができなくなり、表示装置が転倒し易くなる虞がある。そこで、特許文献２には、スタンドを間違った向きで筐体に取り付けることができないようにした表示装置が開示されている。
【先行技術文献】
【特許文献】
【０００４】
【特許文献１】特許第４０９２５８９号公報
【特許文献２】特開２００７−３１０３１８号公報
【発明の概要】
【発明が解決しようとする課題】
【０００５】
通常、表示装置は、筐体からスタンドが外されて梱包されており、表示装置を購入した使用者がスタンドを筐体に取り付けることになる。この際、使用者が二つのスタンドを正しい位置とは逆の位置に取り付けてしまう虞がある。スタンドは、正しい位置に取り付けられた状態で筐体を適切に支持できるように構成されているので、逆の位置に取り付けられた場合は、筐体を適切に支持できず表示装置が転倒する虞がある。このため、スタンドが左右逆に取り付けられることを防止する必要がある。部品の形状又は部品の固定位置を左右で異ならせることにより、二つのスタンドを左右逆に取り付けることは防止できるものの、部品形状が左右で異なるので、表示装置の製造コストが上昇するという問題がある。
【０００６】
本発明は、斯かる事情に鑑みてなされたものであって、その目的とするところは、製造コストを抑制しながらも、スタンドが左右逆に取り付けられることを防止することができる表示装置及びテレビジョン受信機を提供することにある。
【０００７】
また、表示装置の薄型化に伴い、スタンドの支柱部を細くし、支柱部を取り付けるための取付具を小型化することが求められている。このため、スタンド及び取付具の強度が低下し、表示装置の剛性が低下して変形しやすくなるという問題がある。従って、表示装置を薄型化した場合に、表示装置の剛性を確保する必要がある。
【０００８】
本発明は、斯かる事情に鑑みてなされたものであって、その目的とするところは、間違った向きでスタンドを取り付けることを防止しながら剛性を確保した表示装置及びテレビジョン受信機を提供することにある。
【課題を解決するための手段】
【０００９】
本発明に係る表示装置は、前側に画像を表示する表示部と、該表示部の後に配置され、該表示部を保持する保持体と、支柱を夫々に有する二つのスタンドと、前記保持体の後部に取り付けられており、夫々に前記支柱の後側及び両横側を囲んで前記支柱を前記保持体に固定するための二つの固定部とを備える表示装置において、前記二つの固定部の夫々は、固定された前記支柱の後に位置する第１板状部材と、前記支柱の両横の一方に位置し、前記支柱へ向けて突出した第１突出部が前記支柱の軸方向に沿って形成された第２板状部材と、前記支柱の両横の他方に位置し、前記第１突出部に比べて後寄りの位置で前記支柱へ向けて突出した第２突出部が前記支柱の軸方向に沿って形成された第３板状部材とを有し、前記二つの固定部の間で、前記支柱に対する前記第２板状部材及び前記第３板状部材の位置が互いに逆になっていることを特徴とする。
【００１０】
本発明に係る表示装置は、前記支柱は、両側部の一方のみに、前記第１突出部に係合する第１溝が軸方向に沿って形成され、両側部の他方のみに、前記第２突出部に係合する第２溝が軸方向に沿って形成されており、前記二つのスタンドの間で、前記第１溝及び前記第２溝が形成された前記支柱の側部の位置が互いに逆になっていることを特徴とする。
【００１１】
本発明に係る表示装置は、前記第１板状部材には、前記支柱を固定するためのビスが貫通する貫通部分が形成されており、前記支柱の後側には、前記ビスが螺入されるねじ孔が形成されており、前記支柱の前側にはねじ孔が形成されていないことを特徴とする。
【００１２】
本発明に係る表示装置は、前側で映像を表示する表示部と、該表示部を保持する保持体と、該保持体の後部に沿って取り付けられる支柱部を有し、前記保持体を支持するスタンドと、前記支柱部の後側及び両横側を囲んで前記支柱部を前記保持体に取り付けるための取付具とを備える表示装置において、前記取付具は、取り付けられた前記支柱部の後側に位置する板状の後側部材と、前記支柱部の両横側の一方に位置し、一部が内側へ突出した第３突出部が前記支柱部の長手方向に沿って形成された板状の第１横側部材と、前記支柱部の両横側の他方に位置し、前記第３突出部よりも前後方向に短い長さで一部が内側へ突出した第４突出部が前記支柱部の長手方向に沿って形成された板状の第２横側部材とを有し、前記支柱部は、前記第３突出部を前後方向に挟むように、前記第３突出部の前後方向の長さを超過する距離で先端から長手方向に沿って開口した開口部と、該開口部の反対側の位置に、前後方向の長さを前記第３突出部より短く前記第４突出部より長くして長手方向に沿って凹んでおり、前記第４突出部に係合する凹部とを有することを特徴とする。
【００１３】
本発明に係る表示装置は、夫々に前記支柱部を有する前記スタンドを二つ備えるか、又は前記スタンドが二つの前記支柱部を有し、二つの前記取付具が前記保持体の後部に並列に設けられており、二つの前記取付具は、夫々に取り付けられた前記支柱部に対する前記第１横側部材及び前記第２横側部材の横方向の位置が互いに逆になっていることを特徴とする。
【００１４】
本発明に係る表示装置は、前記取付具は、取り付けられた前記支柱部の長手方向に対称な形状であり、前記支柱部は、取り付けられた状態の前後方向に対称な形状であることを特徴とする。
【００１５】
本発明に係る表示装置は、前記第１横側部材及び前記第２横側部材は、端を含まない部分に前記第３突出部及び前記第４突出部が形成されており、前記支柱部は、先端の一部が他の部分よりも延長し、中心側へ傾いた複数の延長部を有することを特徴とする。
【００１６】
本発明に係るテレビジョン受信機は、本発明に係る表示装置と、テレビジョン放送を受信する受信部とを備え、前記受信部で受信したテレビジョン放送に基づいて前記表示装置で映像を表示するようにしてあることを特徴とする。
【発明の効果】
【００１７】
本発明にあっては、固定部の形状によって、二つのスタンドが逆の位置で筐体に取り付けられることが防止される。また、共通の部品を逆向きにして配置することで二つの固定部を実現するようになっている。従って、表示装置は、製造コストを抑制しながらも、二つのスタンドが左右逆に取り付けられることを防止することが可能となる等、本発明は優れた効果を奏する。
【図面の簡単な説明】
【００１８】
【図１】表示装置の模式的斜視図である。
【図２】表示装置の後側を示す模式的斜視図である。
【図３】表示装置の後側を示す模式的斜視図である。
【図４】リアキャビネットを外した表示装置の後側を示す模式的斜視図である。
【図５】固定部及びスタンドを示す模式的斜視図である。
【図６】固定部及びスタンドを示す模式的斜視図である。
【図７】実施形態１に係る固定部及び支柱の断面図である。
【図８】実施形態２に係る固定部及び支柱の断面図である。
【図９】実施形態３に係る固定部及び支柱の断面図である。
【図１０】実施形態４に係る表示装置の模式的正面図である。
【図１１】実施形態４に係る表示装置の後側を示す模式的斜視図である。
【図１２】リアキャビネットを外した実施形態４に係る表示装置の後側を示す模式的斜視図である。
【図１３】リアキャビネットを外した実施形態４に係る表示装置の後側を示す模式的斜視図である。
【図１４】取付具及び支柱部の断面図である。
【図１５Ａ】実施形態４に係る取付具と比較対象の取付具とを示す模式的斜視図である。
【図１５Ｂ】実施形態４に係る取付具と比較対象の取付具とを示す模式的斜視図である。
【図１６】構造解析のための条件を説明する説明図である。
【図１７】構造解析の結果を示す図表である。
【図１８】実施形態６に係る支柱部の先端部分を示す模式的斜視図である。
【発明を実施するための形態】
【００１９】
以下本発明をその実施形態を示す図面に基づき具体的に説明する。
＜実施形態１＞
図１は、表示装置の模式的斜視図である。表示装置は、前後方向の長さが直交する他の方向の長さに比べて著しく短い薄型に構成されている。表示装置は、液晶パネル又はＥＬパネル等の表示パネルを含んだ表示部３を備えている。表示部３は表示パネルを用いて前面に画像を表示する。表示部３は、矩形平板状であり、筐体２に収納されている。筐体２は、薄型の直方体状になっている。筐体２は、表示部３の表示面が前側で露出するようにして、表示部３を収納している。表示部３の短辺に沿った方向を上下方向とし、長辺に沿った方向を左右方向（横方向）とする。筐体２の下面は、表示部３の長辺に沿った面である。
【００２０】
更に、表示装置は、表示部３を下から支持する二つのスタンド１を備えている。表示装置は、更に、図示しない受信部、入出力インタフェース、画像処理部、スピーカ及び電源等の他の部品を備えており、本発明に係るテレビジョン受信機として構成されている。図示しない受信部は、テレビジョン放送を受信し、表示部３は、受信部で受信したテレビジョン放送に基づいた画像を表示する。なお、本発明に係るテレビジョン受信機は、表示装置と分離された受信部を備える形態であってもよい。また、本実施形態に係る表示装置は、テレビジョン受信機以外の表示装置であってもよい。
【００２１】
図２及び図３は、表示装置の後側を示す模式的斜視図である。図３には、スタンド１を取り付ける前の状態を示している。筐体２は、表示装置の後面を構成するリアキャビネット２１を含んでいる。スタンド１は、床面等の載置面に接する脚部１１と、脚部１１に固定された支柱１２とを有している。支柱１２は、前後方向及び横方向に交差する上下方向に沿っている。筐体２の下面には、二つの支柱１２を挿入されるための二つの挿入孔が形成されている。図３中に矢印で示したように、各挿入孔へ支柱１２が挿入され、リアキャビネット２１の後からビス止めされて支柱１２が固定される。
【００２２】
図４は、リアキャビネット２１を外した表示装置の後側を示す模式的斜視図である。図中には、スタンド１を筐体２に取り付ける前の状態を示している。実際には、スタンド１はリアキャビネット２１が存在する状態で筐体２に取り付けられる。筐体２内には、表示部３を保持するシャーシ（保持体）５が備えられている。シャーシ５は、ほぼ板状に形成されており、表示部３の後ろに配置され、後から表示部３を保持する。シャーシ５の後部には、夫々に支柱１２を固定するための二つの固定部４が設けられている。
【００２３】
図５及び図６は、固定部４及びスタンド１を示す模式的斜視図である。図６は、スタンド１が固定部４に固定された状態を示している。固定部４は、長尺の部材であり、長手方向に直交する断面がＵ字状に形成されている。固定部４は、前側がＵ字の開口側になるように、シャーシ５の後面に取り付けられている。固定部４の横方向の位置は、筐体２の下面に設けられた挿入孔の位置に対応している。挿入孔から筐体２内へ挿入された支柱１２は、図４中に矢印で示すように、固定部４及びシャーシ５の後面からなる四角筒状の部分に挿入され、挿入された支柱１２の後側及び両横側は固定部４に囲われ、前側はシャーシ５に囲われる。二つの固定部４は、二つの支柱１２が並列に挿入されるように、上下方向を長手方向として並列に配置されている。固定部４は、固定された支柱１２の後に位置する第１板状部材４１を有する。第１板状部材４１には貫通孔（貫通部分）４２が形成されている。また、支柱１２の後側にはねじ孔１３が形成されている。支柱１２が固定部４に挿入された状態で、リアキャビネット２１の後からビスが螺入され、ビスがねじ孔１３に螺合して、支柱１２は固定部４に固定される。支柱１２が固定された状態では、固定部４の長手方向は支柱１２の軸方向に一致する。このようにして、スタンド１はシャーシ５に取り付けられる。取り付けられたスタンド１は、表示部３及びシャーシ５を下から支持する。
【００２４】
図７は、実施形態１に係る固定部４及び支柱１２の断面図である。図７は、支柱１２が固定部４に固定された状態を示す。また、図７は、支柱１２の軸方向に直交する断面を示している。図７中の下側が表示装置の前側に対応し、上側が表示装置の後側に対応する。前述したように、固定部４の断面は、前側を開口したＵ字状に形成されている。固定部４は、固定された支柱１２の後に位置する板状の第１板状部材４１と、支柱１２の両横に位置する第２板状部材４３及び第３板状部材４５とを有している。第２板状部材４３及び第３板状部材４５は、横方向に並列配置されており、間に支柱１２を挟む。支柱１２の前側にはシャーシ５が位置している。支柱１２の断面は、前側を開口したＵ字状に形成されている。即ち、支柱１２の前側は開口部になっており、ねじ孔は形成されていない。
【００２５】
固定された支柱１２の両横の一方に位置する第２板状部材４３には、一部が外側から凹んで内側へ突出した第１突出部４４が形成されている。また、支柱１２の両横の他方に位置する第３板状部材４５には、一部が外側から凹んで内側へ突出した第２突出部４６が形成されている。第１突出部４４及び第２突出部４６が突出した向きは、固定された支柱１２に向かう向きである。第１突出部４４及び第２突出部４６は、長手方向に沿って連続的に形成されている。また、第１突出部４４及び第２突出部４６の前後方向の位置は互いに異なっており、第２突出部４６は、第１突出部４４に比べて後寄りの位置に形成されている。第１突出部４４及び第２突出部４６は、例えば絞り加工によって形成されている。なお、第１突出部４４及び第２突出部４６は、長手方向に沿って連続的に形成されたものに限るものではなく、長手方向に沿って断続的に形成されたものであってもよい。
【００２６】
支柱１２の側部には、外側から凹んだ溝が形成されている。具体的には、第１突出部４４に対向する部分に、第１溝１４が形成されており、第２突出部４６に対向する部分に、第２溝１５が形成されている。第１溝１４及び第２溝１５は、支柱１２の先端から長手方向に沿って連続して形成されている。支柱１２の断面内での第１溝１４の前後方向の長さは、第１突出部４４の第２板状部材４３内面での前後方向の長さを超過する長さになっており、第２溝１５の前後方向の長さは、第２突出部４６の第３板状部材４５内面での前後方向の長さを超過する長さになっている。第２溝１５は、第１溝１４に比べて後寄りの位置に形成されている。また、支柱１２の第１溝１４が形成された側部には、第１溝１４よりも後側に溝は形成されておらず、支柱１２の第２溝１５が形成された側部には、第２溝１５よりも前側に溝は形成されていない。
【００２７】
支柱１２は、開口部を前へ向けた向きで固定部４へ下から挿入される。第１溝１４は、開口部を前へ向けて支柱１２が固定部４へ挿入された場合に第１突出部４４と係合する位置に形成されている。同様に、第２溝１５は、第２突出部４６と係合する位置に形成されている。第１溝１４が第１突出部４４と係合し、第２溝１５が第２突出部４６と係合することによって、支柱１２は固定部４に内嵌する。支柱１２が固定部４に内嵌することで、軸方向に直交する断面内で支柱１２の位置が定まる。第１板状部材４１の後からビスが螺入され、支柱１２が固定部４に確実に固定される。
【００２８】
図７に示すように、二つの固定部４の間では、固定された支柱１２に対する第２板状部材４３及び第３板状部材４５の位置が互いに左右逆になっている。即ち、一方の固定部４では、支柱１２の右側に第２板状部材４３があり左側に第３板状部材４５があるのに対し、他方の固定部４では、支柱１２の左側に第２板状部材４３があり右側に第３板状部材４５がある。このため、第１突出部４４及び第２突出部４６の位置も、二つの固定部４の間で左右逆になっている。また、固定部４の形状に応じて、二つの支柱１２では、第１溝１４及び第２溝１５が形成された側部の位置が互いに左右逆になっている。即ち、一方の支柱１２では、右側部に第１溝１４があり左側部に第２溝１５があるのに対し、他方の支柱１２では、左側部に第１溝１４があり右側部に第２溝１５がある。
【００２９】
仮に、使用者が二つのスタンド１を左右逆の位置に取り付けようとした場合は、支柱１２の第１溝１４及び第２溝１５は固定部４の第１突出部４４及び第２突出部４６と係合する位置には無い。このため、支柱１２は第１突出部４４及び第２突出部４６に干渉して固定部４へ挿入されない。支柱１２が挿入されないので、支柱１２を固定することができない。従って、使用者は、スタンド１を取り付けることができない。このようにして、二つのスタンド１が左右逆に取り付けられることが防止されている。
【００３０】
また、支柱１２の開口部を横へ向けた状態で使用者がスタンド１を取り付けようとした場合は、支柱１２は第１突出部４４又は第２突出部４６に干渉して固定部４へ挿入されない。また、支柱１２の開口部を後へ向けた状態で使用者がスタンド１を取り付けようとした場合は、支柱１２の後部が開口しているので、後からビスを螺入することができず、支柱１２を固定することができない。このようにして、支柱１２の開口部を前へ向けた向き以外の向きでスタンド１が筐体２に取り付けられることが防止されている。なお、支柱１２の開口部を後へ向けた状態では、第１溝１４が第２突出部４６に係合せず第２溝１５が第１突出部４４に係合しないように、第１突出部４４及び第２突出部４６の位置を定めてあってもよい。この場合は、支柱１２の開口部を横へ向けた状態では、支柱１２は固定部４へ挿入されず、スタンド１が取り付けられることが防止される。
【００３１】
以上のように、表示装置では、二つのスタンド１が正しい位置とは逆の位置に取り付けられること、及び誤った向きでスタンド１が筐体２に取り付けられることが防止される。従って、筐体２に取り付けられたスタンド１は筐体２を適切に支持することが可能であり、表示装置の転倒が防止される。
【００３２】
図５及び図６に示すように、固定部４は、長手方向に対称に形成されている。即ち、固定部４の形状は、長手方向に固定部４を二等分する面に対して面対称になっている。例えば、固定部４は二つの貫通孔４２を備え、一端から一方の貫通孔４２までの距離と、他端から他方の貫通孔４２までの距離とは同一になっている。二つの固定部４は、同一の形状であり、上下を互いに逆にして配置されている。これによって、二つの固定部４の間で、第２板状部材４３及び第３板状部材４５の位置が互いに左右逆になっている。即ち、二つの固定部４は、共通の部品であり、しかも、二つのスタンド１が左右逆に取り付けられることを防止することができる形状になっている。二つの固定部４が共通の部品であるので、表示装置の製造コストは抑制される。従って、表示装置は、製造コストを抑制しながらも、二つのスタンド１が左右逆に取り付けられることを防止することが可能となる。
【００３３】
なお、固定部４は、面対称になった構成に限るものではない。例えば、固定部４は、非対称な位置に三個以上の貫通孔を備え、いずれかの貫通孔がねじ孔１３に対応するようになっていてもよい。また、第１突出部４４及び第２突出部４６も、面対称ではなくてもよい。第１突出部４４及び第２突出部４６が面対称でなくとも、固定部４の長手方向に沿った形状であれば、上下逆にして配置した二つの固定部４の夫々に支柱１２が挿入されることが可能である。また、第１板状部材４１に形成された貫通部分は、貫通孔に限るものではない。例えば、固定部４は、ビスが貫通できる貫通溝が第１板状部材４１に形成されている形態であってもよい。
【００３４】
＜実施形態２＞
図８は、実施形態２に係る固定部４及び支柱１２の断面図である。図８は、支柱１２が固定部４に固定された状態を示し、支柱１２の軸方向に直交する断面を示している。実施形態１では、支柱１２の前側が開口部になっている形態を示したが、実施形態２では、支柱１２は開口部を有していない。本実施形態では、支柱１２は、四角筒状になっており、第１溝１４及び第２溝１５が形成されている。二つの支柱１２では、第１溝１４及び第２溝１５が形成された側部の位置が互いに左右逆になっている。また、支柱１２の前側にはねじ孔が形成されていないことが望ましい。支柱１２以外の表示装置の各部の構成は、実施形態１と同様である。
【００３５】
本実施形態においても、二つのスタンド１が左右逆に取り付けられることが防止されている。また、支柱１２の前側にねじ孔が形成されていないことによって、支柱１２の前後を逆にして使用者がスタンド１を取り付けようとした場合に支柱１２を固定することができない。このようにして、スタンド１が間違った向きで筐体２に取り付けられることが防止されている。従って、本実施形態においても、表示装置は、製造コストを抑制しながらも、二つのスタンド１が左右逆に取り付けられることを防止することが可能となる。
【００３６】
＜実施形態３＞
図９は、実施形態３に係る固定部４及び支柱１２の断面図である。図９は、支柱１２が固定部４に固定された状態を示し、支柱１２の軸方向に直交する断面を示している。実施形態１では、支柱１２の前側が開口部になっている形態を示したが、実施形態３では、支柱１２の前側は開口部になっておらず、支柱１２の両側部の一方が開口部になっている。支柱１２の両側部の他方には、第１溝１４が形成されている。第１溝１４が第１突出部４４と係合し、開口部が第２突出部４６と対向することによって、支柱１２は固定部４に内嵌する。二つの支柱１２では、開口部になっている側部と、第１溝１４が形成された側部との位置が互いに左右逆になっている。仮に、使用者が二つのスタンド１を左右逆の位置に取り付けようとした場合は、支柱１２は第２突出部４６に干渉して固定部４へ挿入されない。また、支柱１２の前側にはねじ孔が形成されていないことが望ましい。支柱１２以外の表示装置の各部の構成は、実施形態１と同様である。
【００３７】
本実施形態においても、二つのスタンド１が左右逆に取り付けられることが防止されている。また、支柱１２の前側にねじ孔が形成されていないことによって、支柱１２の前後を逆にして使用者がスタンド１を取り付けようとした場合に支柱１２を固定することができない。このようにして、スタンド１が間違った向きで筐体２に取り付けられることが防止されている。従って、本実施形態においても、表示装置は、製造コストを抑制しながらも、二つのスタンド１が左右逆に取り付けられることを防止することが可能となる。なお、支柱１２は、両側部の一方が開口部になっており、両側部の他方に第２溝１５が形成されていてもよい。なお、支柱１２は、両側部の一方が開口部になっており、両側部の他方に第２溝１５が形成されていてもよい。
【００３８】
以上の実施形態１〜３においては、断面形状がＵ字状になった固定部４を備える形態を示したが、表示装置は、四角筒状に形成された固定部４を備える形態であってもよい。また、固定部４の第１突出部４４及び第２突出部４６が絞り加工によって形成された形態を示したが、固定部４は、第２板状部材４３及び第３板状部材４５の外面に第１突出部４４及び第２突出部４６に伴う凹みが形成されていない形態であってもよい。また、支柱１２は角柱状に限るものではなく、円柱状であってもよい。
【００３９】
以上のように、本発明に係る表示装置は、前側に画像を表示する表示部（３）と、該表示部（３）の後に配置され、該表示部（３）を保持する保持体（５）と、支柱（１２）を夫々に有する二つのスタンド（１）と、前記保持体（５）の後部に取り付けられており、夫々に前記支柱（１２）の後側及び両横側を囲んで前記支柱（１２）を前記保持体（５）に固定するための二つの固定部（４）とを備える表示装置において、前記二つの固定部（４）の夫々は、固定された前記支柱（１２）の後に位置する第１板状部材（４１）と、前記支柱（１２）の両横の一方に位置し、前記支柱（１２）へ向けて突出した第１突出部（４４）が前記支柱（１２）の軸方向に沿って形成された第２板状部材（４３）と、前記支柱（１２）の両横の他方に位置し、前記第１突出部（４４）に比べて後寄りの位置で前記支柱（１２）へ向けて突出した第２突出部（４６）が前記支柱（１２）の軸方向に沿って形成された第３板状部材（４５）とを有し、前記二つの固定部（４）の間で、前記支柱（１２）に対する前記第２板状部材（４３）及び前記第３板状部材（４５）の位置が互いに逆になっていることを特徴とする。
【００４０】
本発明に係る表示装置は、前記支柱（１２）は、両側部の一方のみに、前記第１突出部（４４）に係合する第１溝（１４）が軸方向に沿って形成され、両側部の他方のみに、前記第２突出部（４６）に係合する第２溝（１５）が軸方向に沿って形成されており、前記二つのスタンド（１）の間で、前記第１溝（１４）及び前記第２溝（１５）が形成された前記支柱（１２）の側部の位置が互いに逆になっていることを特徴とする。
【００４１】
本発明に係る表示装置は、前記第１板状部材（４１）には、前記支柱（１２）を固定するためのビスが貫通する貫通部分（４２）が形成されており、前記支柱（１２）の後側には、前記ビスが螺入されるねじ孔（１３）が形成されており、前記支柱（１２）の前側にはねじ孔が形成されていないことを特徴とする。
【００４２】
本発明に係るテレビジョン受信機は、本発明に係る表示装置と、テレビジョン放送を受信する受信部とを備え、前記受信部で受信したテレビジョン放送に基づいて前記表示装置で映像を表示するようにしてあることを特徴とする。
【００４３】
本発明においては、テレビジョン受信機としても用いられる表示装置は、表示部（３）と、表示部（３）を保持する保持体（５）と、支柱（１２）を有する二つのスタンド（１）と、支柱（１２）を固定するための固定部（４）とを備える。固定部（４）は、固定された支柱（１２）の後に位置する第１板状部材（４１）と、支柱（１２）の両横に位置する第２板状部材（４３）及び第３板状部材（４５）とを有する。第２板状部材（４３）には、支柱（１２）へ向けて突出した第１突出部（４４）が形成され、第３板状部材（４５）には、第１突出部（４４）に比べて後寄りの位置で突出した第２突出部（４６）が形成されている。二つの固定部（４）の間で、第２板状部材（４３）及び第３板状部材（４５）の位置が互いに逆になっている。支柱（１２）の形状によっては、二つのスタンド（１）を左右逆に取り付けようとした場合に、支柱（１２）の形状が固定部（４）の第１突出部（４４）及び第２突出部（４６）の形状に合わず、取り付けができない。また、固定部（４）の形状は、一方の固定部（４）の支柱（１２）の軸方向に沿った向きを逆にすると他方の固定部（４）になるようになっており、二つの固定部（４）は共通の部品である。
【００４４】
また、本発明においては、支柱（１２）の一方の側部のみに、第１突出部（４４）に係合する第１溝（１４）が形成され、他方の側部のみに、第２突出部（４６）に係合する第２溝（１５）が形成されている。二つのスタンド（１）の間で、第１溝（１４）が形成された側部と第２溝（１５）が形成された側部との位置は互いに逆になっている。二つのスタンド（１）を左右逆に取り付けようとした場合には、支柱（１２）の第１溝（１４）及び第２溝（１５）が固定部（４）の第１突出部（４４）及び第２突出部（４６）に係合せず、取り付けができない。
【００４５】
また、本発明においては、支柱（１２）の後側にはねじ孔（１３）が形成されており、前側にはねじ孔は無い。支柱（１２）は後ろからビス止めされて固定される。スタンド（１）を前後逆に取り付けようとした場合は、支柱（１２）の後ろからビス止めをすることができず、取り付けができない。
【００４６】
＜実施形態４＞
図１０は、実施形態４に係る表示装置の模式的正面図である。表示装置は、前後方向の長さが前後方向に直交する方向の長さに比べて著しく短い薄型に構成されている。表示装置は、液晶パネル又はＥＬパネル等の表示パネルを含んだ表示部３を備えており、表示部３は表示パネルを用いて前面に映像を表示する。表示部３は、筐体２に収納されている。筐体２は、薄型の直方体状になっている。更に、表示装置は、筐体２を下側から支持する二つのスタンド６を備えている。表示装置は、更に、図示しない受信部、入出力インタフェース、映像処理部、スピーカ及び電源等の他の部品を備えており、本発明に係るテレビジョン受信機として構成されている。図示しない受信部は、テレビジョン放送を受信し、表示部３は、受信部で受信したテレビジョン放送に基づいた映像を表示する。なお、本発明に係るテレビジョン受信機は、表示装置と分離された受信部を備える形態であってもよい。また、本実施形態に係る表示装置は、テレビジョン受信機以外の表示装置であってもよい。
【００４７】
図１１は、実施形態４に係る表示装置の後側を示す模式的斜視図である。図１１には、スタンド６を筐体２に取り付ける前の状態を示している。筐体２は、表示装置の後面を構成するリアキャビネット２１を含んでいる。スタンド６は、床面等の載置面に接する脚部６１と、脚部６１に固定されており、筐体２内に取り付けられる支柱部６２とを有している。脚部６１が載置面に接している状態では、支柱部６２は載置面に対してほぼ垂直になっている。筐体２の下面には、二つの支柱部６２を挿入されるための二つの挿入孔２２が形成されている。各挿入孔２２へ支柱部６２が挿入され、リアキャビネット２１の後側からビス止めされて支柱部６２が筐体２に固定される。
【００４８】
図１２及び図１３は、リアキャビネット２１を外した実施形態４に係る表示装置の後側を示す模式的斜視図である。図１２には、スタンド６を筐体２に取り付ける前の状態を示しており、図１３には、スタンド６を取り付けた状態でリアキャビネット２１を外した表示装置の後側を示している。実際には、スタンド６はリアキャビネット２１が存在する状態で筐体２に取り付けられる。筐体２内には、表示部３を保持するシャーシ（保持体）５が備えられている。シャーシ５は、ほぼ板状に形成されており、後側から表示部３を保持する。シャーシ５の後側には、支柱部６２を取り付けるための取付具７が設けられている。取付具７は、長尺の部材であり、長手方向に直交する断面がＵ字状に形成されている。取付具７は、前側がＵ字の開口側になるように、シャーシ５の後面に取り付けられている。取付具７の横方向の位置は、挿入孔２２の位置に対応している。挿入孔２２から筐体２内へ挿入された支柱部６２は、取付具７及びシャーシ５の後面からなる四角筒状の部分に挿入され、挿入された支柱部６２の後側及び両横側は取付具７に囲われ、前側はシャーシ５に囲われる。二つの取付具７は、二つの支柱部６２が並列に挿入されるように、上下方向を長手方向として並列に配置されている。取付具７は、支柱部６２の後側を覆う板状の後側部材７１を有し、後側部材７１には貫通孔７２が形成されている。また、支柱部６２にはねじ孔６３が形成されている。支柱部６２が取付具７に挿入された状態で、リアキャビネット２１の後側からビスが螺入され、ビスがねじ孔６３に螺合して、支柱部６２は取付具７に固定される。このようにして、支柱部６２はシャーシ５に取り付けられる。支柱部６２がシャーシ５に取り付けられた状態では、スタンド６はシャーシ５を下側から支持する。
【００４９】
図１４は、取付具７及び支柱部６２の断面図である。図１４は、支柱部６２が取付具７へ挿入されて固定された状態を示す。また、図１４は、取付具７及び支柱部６２の長手方向に直交する断面を示している。図１４中の下側が表示装置の前側に対応し、上側が表示装置の後側に対応する。前述したように、取付具７の断面は、前側を開口したＵ字状に形成されている。取付具７は、取り付けられた支柱部６２の後側に位置する板状の後側部材７１と、支柱部６２の両横側に位置する板状の第１横側部材７３及び第２横側部材７５とを有している。支柱部６２の前側にはシャーシ５が位置している。支柱部６２の断面は、開口部６４を有するＵ字状に形成されている。開口部６４は、支柱部６２の長手方向に沿って開口している。
【００５０】
取り付けられた支柱部６２の両横側の一方に位置する第１横側部材７３には、一部が外側から凹んで内側へ突出した第３突出部７４が形成されている。また、支柱部６２の両横側の他方に位置する第２横側部材７５には、一部が外側から凹んで内側へ突出した第４突出部７６が形成されている。第３突出部７４及び第４突出部７６が形成されていることによって、第１横側部材７３及び第２横側部材７５の外面の一部が凹んで溝状になっており、内面の一部が内側へ突出している。第３突出部７４及び第４突出部７６は、長手方向に沿って形成されている。図１４に示すように、取り付けられた支柱部６２の両横側に第３突出部７４及び第４突出部７６が形成されており、第３突出部７４及び第４突出部７６は対向している。前後方向の長さは、第３突出部７４よりも第４突出部７６の方が狭い。第３突出部７４及び第４突出部７６は、例えば絞り加工によって形成されている。
【００５１】
支柱部６２の断面内で開口部６４が開口した距離は、第３突出部７４の第１横側部材７３内面での前後方向の長さを超過する長さになっている。断面内で横方向の支柱部６２の長さは、対向する第３突出部７４及び第４突出部７６の間の距離を超過しており、第１横側部材７３及び第２横側部材７５の両壁の第３突出部７４及び第４突出部７６が形成されていない内面間の距離未満である。また、断面内で前後方向の支柱部６２の長さは、対向する第３突出部７４及び第４突出部７６の間の距離を超過している。また、支柱部６２の開口部６４とは反対側の位置に、外側から凹んだ凹部６５が形成されている。凹部６５は、支柱部６２の先端から長手方向に沿って連続して形成されている。支柱部６２の断面内での凹部６５の前後方向の長さは、第３突出部７４の第１横側部材７３内面での前後方向の長さ未満であり、第４突出部７６の第２横側部材７５内面での前後方向の長さを超過する長さになっている。
【００５２】
支柱部６２は、図１４に示すように、開口部６４を第１横側部材７３へ向けた向きで取付具７へ挿入される。開口部６４は、取付具７の内側で、第３突出部７４を前後方向に挟む。凹部６５は、開口部６４が第３突出部７４を挟むように支柱部６２が取付具７へ挿入された場合に第４突出部７６と係合するような位置に形成されている。即ち、凹部６５は外側から凹んでいるので、第２横側部材７５の内側へ突出した第４突出部７６と係合する。開口部６４が第３突出部７４を挟み、凹部６５が第４突出部７６と係合することによって、支柱部６２は取付具７に内嵌される。支柱部６２が取付具７に内嵌されることで、長手方向に直交する断面内で支柱部６２の位置が定まり、支柱部６２が取付具７に確実に固定される。第３突出部７４及び第４突出部７６によって支柱部６２の位置が定まるようになっているので、取付具７と支柱部６２との間の隙間は、取付具７及び支柱部６２の形状のみによって調整することができる。スタンド６のがたつきを抑える等の目的で隙間を調整する際は、取付具７及び支柱部６２以外の部品に影響しないように調整が可能である。
【００５３】
凹部６５を第３突出部７４へ向けた向きで支柱部６２を取付具７へ挿入しようとした場合は、凹部６５の前後方向の長さが第３突出部７４よりも短いので、支柱部６２は第３突出部７４と干渉
して取付具７へ挿入できない。また、開口部６４を前側又は後側へ向けた向きで支柱部６２を取付具７へ挿入しようとした場合は、支柱部６２の左右方向の長さは第３突出部７４及び第４突出部７６の間の距離を超過しているので、支柱部６２は第３突出部７４及び第４突出部７６と干渉して取付具７へ挿入できない。従って、支柱部６２は、開口部６４を第３突出部７４へ向けた向きのみで取付具７へ挿入されることが可能であり、他の向きでは取付具７へ挿入されない。このため、スタンド６が間違った向きで取り付けられることが防止される。
【００５４】
第３突出部７４及び第４突出部７６が取付具７に形成されていることによって、第３突出部７４及び第４突出部７６は取付具７を補強するリブとして作用する。このため、取付具７は、第３突出部７４及び第４突出部７６が形成されていない状態に比べて強度が向上している。強度が向上した取付具７に支柱部６２が固定されるので、スタンド６が筐体２を支持してなる表示装置全体の剛性が確保される。また、二つの取付具７は、取り付けられた支柱部６２に対する第１横側部材７３及び第２横側部材７５の横側の位置が互いに逆になるように構成されている。具体的には、二つの取付具７はいずれも、シャーシ５の端に近い側に第１横側部材７３が位置し、シャーシ５の中央に近い側に第２横側部材７５が位置するように構成されている。これに合わせて、図１２及び図１３に示すように、二つのスタンド６は、支柱部６２の開口部６４及び凹部６５の位置が互いに逆になるように構成されている。具体的には、二つの支柱部６２はいずれも、シャーシ５の端に近い側に開口部６４が位置し、シャーシ５の中央に近い側に凹部６５が位置するように構成されている。このような構成によって、二つの取付具７及び支柱部６２の構造がシャーシ５の中央を中心として左右対称となる。これにより、二つの取付具７及び支柱部６２に対する外力の作用も左右対称となり、二つのスタンド６はシャーシ５をバランス良く支持することができる。なお、二つの取付具７は、シャーシ５の中央に近い側に第１横側部材７３が位置し、シャーシ５の端に近い側に第４突出部７６が位置するように構成され、二つの支柱部６２は、シャーシ５の中央に近い側に開口部６４が位置し、シャーシ５の端に近い側に凹部６５が位置するように構成されていてもよい。
【００５５】
本実施形態に係る表示装置の剛性を検証するために、本実施形態に係る表示装置と他の形状の取付具を備えた表示装置とを比較した。取付具の強度を確保するためには、一部を切り欠いて折り曲げることが考えられる。そこで、本実施形態に係る表示装置と切り欠きを設けた取付具を備えた表示装置との構造解析を行い、剛性を比較した。図１５Ａ及び図１５Ｂは、実施形態４に係る取付具７と比較対象の取付具とを示す模式的斜視図である。図１５Ａは取付具７を示し、図１５Ｂは比較対象の取付具を示す。図１５Ｂに示す比較対象の取付具には、第３突出部７４及び第４突出部７６が形成されておらず、内面が対向する二つの板状の横側部材に長手方向に沿って切込みを入れ、横側部材の一部が内側へ折り曲げられている。折り曲げられた部分は、横側部材の面と交差しており、取付具の強度を向上させる役割を果たしている。
【００５６】
図１６は、構造解析のための条件を説明する説明図である。図１６には、リアキャビネット２１を外した表示装置の模式的な斜視図を示している。構造解析では、二つの取付具を備え二つのスタンド６で筐体２を支持した表示装置に対して、所定箇所に所定強度の外力を所定の向きに加え、外力が加わった部分の変位量をシミュレーションした。本実施形態に係る表示装置と比較対象の表示装置とで、取付具以外の構造は同じである。構造解析は、外力が異なる三つの条件について行った。第１の条件は、表示装置の上面中央に前向きの外力１００Ｎを加える条件であり、図１６中に外力を（１）で示す。第２の条件は、表示装置の上面中央に後向きの外力１００Ｎを加える条件であり、図１６中に外力を（２）で示す。第３の条件は、表示装置の上面の一端に下向きの外力１００Ｎを加える条件であり、図１６中に外力を（３）で示す。夫々の条件で構造解析を行い、表示装置の外力が加わった部分の変位量を計算した。
【００５７】
図１７は、構造解析の結果を示す図表である。本実施形態に係る表示装置と図１５Ｂに示す切り欠きを設けた取付具を備える比較対象の表示装置とについて、夫々の条件に従った外力を加えた部分の最大変位量をｍｍの単位で示している。図１７中に（１）で示した第１の条件と、（２）で示した第２の条件とでは、どちらの表示装置でも最大変位量は２０ｍｍであり、差は確認できなかった。図１７中に（３）で示した第３の条件では、本実施形態に係る表示装置での最大変位量は１１ｍｍであり、比較対象の表示装置での最大変位量は１３ｍｍであり、本実施形態に係る表示装置での変位量が小さくなった。第３の条件では、取付具に、前後方向の軸回りに回転させる力が加わる。比較対象の取付具は、横側部材の切り欠いて折り曲げた部分以外の部分で力に耐える必要がある。これに対し、本実施形態に係る取付具７は、第１横側部材７３及び第２横側部材７５の全体で力に耐えればよい。本実施形態に係る表示装置では、比較対象に比べて、取付具７にかかる力がより分散されているので、変位量が小さくなると推測される。この構造解析の結果により、一部を切り欠いて折り曲げた取付具を備えた表示装置に比べて、第３突出部７４及び第４突出部７６を有する取付具７を備えた表示装置の方が剛性が高いことが明らかとなった。
【００５８】
＜実施形態５＞
本実施形態においては、取付具７は、長手方向に対称に形成されている。即ち、取付具７の形状は、長手方向に取付具７を二等分する面に対して面対称になっている。例えば、取付具７は二つの貫通孔７２を備え、一端から一方の貫通孔７２までの距離と、他端から他方の貫通孔７２までの距離とは同一になっている。本実施形態では、二つの取付具７は、上下を互いに逆にしてシャーシ５に取り付けられている。長手方向に対称な二つの取付具７が互いに上下逆に取り付けられているので、実施形態４と同様に、二つの取付具７の第１横側部材７３及び第２横側部材７５の位置は互いに逆になっている。従って、二つの取付具７は共通の部品である。
【００５９】
また、支柱部６２は、取付具７に取り付けられるときの前後方向に対称に形成されている。即ち、支柱部６２の形状は、図１４に示した形状と同様に、長手方向に沿って開口部６４を二等分する面に対して面対称になっている。このため、一方の取付具７に取り付けられることが可能な支柱部６２と同一形状の他の支柱部６２は、前後を逆にして他方の取付具７に取り付けられることが可能である。従って、二つのスタンド６の支柱部６２は共通の部品である。表示装置のその他の構成は実施形態４と同様である。
【００６０】
以上のように、本実施形態においては、二つの取付具７は共通の部品で構成され、二つの支柱部６２も共通の部品で構成されている。従って、表示装置の製造コストは抑制される。
【００６１】
＜実施形態６＞
図１８は、実施形態６に係る支柱部６２の先端部分を示す模式的斜視図である。本実施形態においては、支柱部６２には、先端の一部が延長し、中心側へ傾いた二つの延長部６６が設けられている。延長部６６は、開口部６４及び凹部６５以外の部分の一部が延長した部分である。二つの延長部６６が中心側へ傾いていることにより、支柱部６２の先端は先細りになっている。支柱部６２の先端が先細りになっていることにより、支柱部６２を取付具７に挿入する作業が容易となる。また、図１５Ａに示した取付具７と同様に、取付具７の第３突出部７４及び第４突出部７６は第１横側部材７３及び第２横側部材７５の端には形成されておらず、第１横側部材７３及び第２横側部材７５の両端からある程度離れた部分に第３突出部７４及び第４突出部７６が形成されている。このため、取付具７は、第３突出部７４及び第４突出部７６が形成されている部分に比べて、両端部分は内側がより広くなっている。取付具７の両端部分が広くなっていることにより、取付具７の端に支柱部６２を挿入する作業が容易となる。表示装置のその他の構成は実施形態４と同様である。従って、本実施形態においては、筐体２にスタンド６を取り付ける作業が容易となり、作業者の負担が軽減される。実施形態６に係る表示装置の構成は、実施形態５に係る表示装置の構成と組み合わせることが可能である。
【００６２】
なお、以上の実施形態４〜６においては、断面形状がＵ字状になった取付具７を備える形態を示したが、本発明に係る表示装置は、四角筒状に形成された取付具を備える形態であってもよい。また、実施形態４〜６においては、取付具７の第３突出部７４及び第４突出部７６が絞り加工によって形成された形態を示したが、取付具７は、第１横側部材７３及び第２横側部材７５の外面に第３突出部７４及び第４突出部７６に伴う凹みが形成されていない形態であってもよい。また、実施形態４〜６においては、シャーシ５を二つのスタンド６で支持する形態を示したが、本発明に係る表示装置は、一つのスタンド６又は三つ以上のスタンド６でシャーシ５を支持する形態であってもよい。また、実施形態４〜６においては、一つのスタンド６が一つの支柱部６２を有する形態を示したが、本発明に係る表示装置は、一つの脚部と複数の支柱部とを有するスタンドを備える形態であってもよい。また、スタンドは筐体２を上から吊り下げて支持する形態であってもよい。
【００６３】
以上のように、本発明に係る表示装置は、前側で映像を表示する表示部（３）と、該表示部（３）を保持する保持体（５）と、該保持体（５）の後部に沿って取り付けられる支柱部（６２）を有し、前記保持体（５）を支持するスタンド（６）と、前記支柱部（６２）の後側及び両横側を囲んで前記支柱部（６２）を前記保持体（５）に取り付けるための取付具（７）とを備える表示装置において、前記取付具（７）は、取り付けられた前記支柱部（６２）の後側に位置する板状の後側部材（７１）と、前記支柱部（６２）の両横側の一方に位置し、一部が内側へ突出した第３突出部（７４）が前記支柱部（６２）の長手方向に沿って形成された板状の第１横側部材（７３）と、前記支柱部（６２）の両横側の他方に位置し、前記第３突出部（７４）よりも前後方向に短い長さで一部が内側へ突出した第４突出部（７６）が前記支柱部（６２）の長手方向に沿って形成された板状の第２横側部材（７５）とを有し、前記支柱部（６２）は、前記第３突出部（７４）を前後方向に挟むように、前記第３突出部（７４）の前後方向の長さを超過する距離で先端から長手方向に沿って開口した開口部（６４）と、該開口部（６４）の反対側の位置に、前後方向の長さを前記第３突出部（７４）より短く前記第４突出部（７６）より長くして長手方向に沿って凹んでおり、前記第４突出部（７６）に係合する凹部（６５）とを有することを特徴とする。
【００６４】
本発明に係る表示装置は、夫々に前記支柱部（６２）を有する前記スタンド（６）を二つ備えるか、又は前記スタンド（６）が二つの前記支柱部（６２）を有し、二つの前記取付具（７）が前記保持体（５）の後部に並列に設けられており、二つの前記取付具（７）は、夫々に取り付けられた前記支柱部（６２）に対する前記第１横側部材（７３）及び前記第２横側部材（７５）の横方向の位置が互いに逆になっていることを特徴とする。
【００６５】
本発明に係る表示装置は、前記取付具（７）は、取り付けられた前記支柱部（６２）の長手方向に対称な形状であり、前記支柱部（６２）は、取り付けられた状態の前後方向に対称な形状であることを特徴とする。
【００６６】
本発明に係る表示装置は、前記第１横側部材（７３）及び前記第２横側部材（７５）は、端を含まない部分に前記第３突出部（７４）及び前記第４突出部（７６）が形成されており、前記支柱部（６２）は、先端の一部が他の部分よりも延長し、中心側へ傾いた複数の延長部（６６）を有することを特徴とする。
【００６７】
本発明に係るテレビジョン受信機は、本発明に係る表示装置と、テレビジョン放送を受信する受信部とを備え、前記受信部で受信したテレビジョン放送に基づいて前記表示装置で映像を表示するようにしてあることを特徴とする。
【００６８】
本発明においては、テレビジョン受信機としても用いられる表示装置は、表示部（３）を保持する保持体（５）に取り付けられる支柱部（６２）を有し保持体（５）を支持するスタンド（６）と、支柱部（６２）の後側及び両横側を囲んで支柱部（６２）を取り付けるための取付具（７）とを備える。取付具（７）は、支柱部（６２）の両横側の一方に、内側へ突出した第３突出部（７４）が長手方向に形成された第１横側部材（７３）と、第３突出部（７４）よりも前後方向に短い第４突出部（７６）が長手方向に形成された第２横側部材（７５）とを有する。支柱部（６２）には、第３突出部（７４）の前後方向の長さを超過する距離で開口した開口部（６４）が長手方向に沿って形成され、反対側の位置に、前後方向に第３突出部（７４）より短く第４突出部（７６）より長い長さで外側から凹んだ凹部（６５）が形成されている。支柱部（６２）の取り付け時には、開口部（６４）が第３突出部（７４）を挟み、凹部（６５）が第４突出部（７６）と係合することで、支柱部（６２）の位置が固定される。支柱部（６２）を逆向きに取り付けようとした場合は、凹部（６５）が第３突出部（７４）と干渉し、取付ができない。取付具（７）は、第３突出部（７４）及び第４突出部（７６）が形成されていることによって強度が向上しており、強度が向上した取付具（７）で支柱部（６２）が取り付けられていることによって、スタンド（６）が保持体（５）を支持してなる表示装置全体の剛性が確保される。
【００６９】
また、本発明においては、保持体（５）に設けられた並列な二つの取付具（７）に二つの支柱部（６２）が取り付けられる。二つの取付具（７）は、第１横側部材（７３）及び第２横側部材（７５）の位置が互いに逆になっている。このため、取り付けられた二つの支柱部（６２）は、開口部（６４）及び凹部（６５）の位置が互いに逆になる。二つの取付具（７）及び支柱部（６２）の構造が左右対称となり、保持体（５）は二つのスタンド（６）によりバランス良く支持される。
【００７０】
また、本発明においては、取付具（７）は長手方向に対称な形状であり、支柱部（６２）は取り付け時の前後方向に対称な形状である。二つの取付具（７）は、上下を互いに逆にしてシャーシ（５）に取り付けることで、共通の部品とすることができる。また、一方の取付具（７）に取り付けられることが可能な支柱部（６２）は、前後を逆にして他方の取付具（７）に取り付けられることが可能であり、二つの支柱部（６２）は共通の部品とすることができる。
【００７１】
また、本発明においては、第３突出部（７４）及び第４突出部（７６）は第１横側部材（７３）及び第２横側部材（７５）の端を含まない部分に形成されている。また支柱部（６２）の先端には、先細りになるように複数の延長部（６６）を設けている。取付具（７）の端が広く、支柱部（６２）の先端が細いので、支柱部（６２）を取付具（７）へ挿入して取り付ける作業が容易である。
【００７２】
（付記１）
前側で映像を表示する表示部と、該表示部を保持する保持体と、該保持体の後部に沿って取り付けられる支柱部を有し、前記保持体を支持するスタンドと、前記支柱部の後側及び両横側を囲んで前記支柱部を前記保持体に取り付けるための取付具とを備える表示装置において、
前記取付具は、
取り付けられた前記支柱部の後側に位置する板状の後側部材と、
前記支柱部の両横側の一方に位置し、一部が内側へ突出した第１突出部が前記支柱部の長手方向に沿って形成された板状の第１横側部材と、
前記支柱部の両横側の他方に位置し、前記第１突出部よりも前後方向に短い長さで一部が内側へ突出した第２突出部が前記支柱部の長手方向に沿って形成された板状の第２横側部材とを有し、
前記支柱部は、
前記第１突出部を前後方向に挟むように、前記第１突出部の前後方向の長さを超過する距離で先端から長手方向に沿って開口した開口部と、
該開口部の反対側の位置に、前後方向の長さを前記第１突出部より短く前記第２突出部より長くして長手方向に沿って凹んでおり、前記第２突出部に係合する凹部とを有すること
を特徴とする表示装置。
【００７３】
（付記２）
夫々に前記支柱部を有する前記スタンドを二つ備えるか、又は前記スタンドが二つの前記支柱部を有し、
二つの前記取付具が前記保持体の後部に並列に設けられており、
二つの前記取付具は、夫々に取り付けられた前記支柱部に対する前記第１横側部材及び前記第２横側部材の横方向の位置が互いに逆になっていること
を特徴とする付記１に記載の表示装置。
【００７４】
（付記３）
前記取付具は、取り付けられた前記支柱部の長手方向に対称な形状であり、
前記支柱部は、取り付けられた状態の前後方向に対称な形状であること
を特徴とする付記２に記載の表示装置。
【００７５】
（付記４）
前記第１横側部材及び前記第２横側部材は、端を含まない部分に前記第１突出部及び前記第２突出部が形成されており、
前記支柱部は、先端の一部が他の部分よりも延長し、中心側へ傾いた複数の延長部を有すること
を特徴とする付記１から３までのいずれか一つに記載の表示装置。
【００７６】
（付記５）
付記１から４までの何れか一つに記載の表示装置と、
テレビジョン放送を受信する受信部とを備え、
前記受信部で受信したテレビジョン放送に基づいて前記表示装置で映像を表示するようにしてあること
を特徴とするテレビジョン受信機。
【符号の説明】
【００７７】
１、６  スタンド
１１  脚部
１２  支柱
１３  ねじ孔
１４  第１溝
１５  第２溝
２  筐体
３  表示部
４  固定部
４１  第１板状部材
４２  貫通孔（貫通部分）
４３  第２板状部材
４４  第１突出部
４５  第３板状部材
４６  第２突出部
５  シャーシ（保持体）
６１  脚部
６２  支柱部
６４  開口部
６５  凹部
６６  延長部
７  取付具
７１  後側部材
７３  第１横側部材
７４  第３突出部
７５  第２横側部材
７６  第４突出部
【図１】
2018022188.tif 000003
【図２】
2018022188.tif 000004
【図３】
2018022188.tif 000005
【図４】
2018022188.tif 000006
【図５】
2018022188.tif 000007
【図６】
2018022188.tif 000008
【図７】
2018022188.tif 000009
【図８】
2018022188.tif 000010
【図９】
2018022188.tif 000011
【図１０】
2018022188.tif 000012
【図１１】
2018022188.tif 000013
【図１２】
2018022188.tif 000014
【図１３】
2018022188.tif 000015
【図１４】
2018022188.tif 000016
【図１５Ａ】
2018022188.tif 000017
【図１５Ｂ】
2018022188.tif 000018
【図１６】
2018022188.tif 000019
【図１７】
2018022188.tif 000020
【図１８】
2018022188.tif 000021